(57)【要約】【課題】構成の簡素化を図りながら、虫等の異物が屋内へ侵入するのを抑制することができる建物の送風設備を提供する。【解決手段】建物において居室１２の外壁部１６には窓部１７が形成され、その窓部１７にはガラス戸１８が設けられている。建物１０には、空調設備が設けられている。空調設備は、居室１２に設けられた空調空気の吹出口３４ａと、その吹出口３４ａに空調空気を供給して吹出口３４ａより空調空気を居室１２に吹き出させる空調装置とを備える。吹出口３４ａには、同吹出口３４ａより吹き出される空調空気の吹出向きを調整する可動スラット４６が設けられている。可動スラット４６は、吹出口３４ａより空調空気が真上に向けて吹き出されるようにする第１状態と、窓部１７に向けて吹き出されるようにする第２状態とに移行可能となっている。【選択図】      図２
2018105556.tif 000002
【特許請求の範囲】
【請求項１】
屋内空間を囲む壁部に開口部が形成された建物に適用され、
前記屋内空間に設けられた空気の吹出口と、
その吹出口に空調用又は換気用の空気を供給して、その空気を前記吹出口より前記屋内空間に吹き出させる送風装置と、を備え、
前記吹出口より吹き出される空気によって前記屋内空間の空調又は換気を行う建物の送風設備において、
前記吹出口より吹き出される空気の吹出向きを調整する調整手段を備え、
前記調整手段は、前記吹出口より空気が前記開口部とは異なる側に向けて吹き出されるようにする第１状態と、前記開口部に向けて吹き出されるようにする第２状態とに移行可能となっていることを特徴とする建物の送風設備。
【請求項２】
前記開口部を開閉する開閉体の開閉状態を検知する開閉検知手段と、
前記開閉検知手段により前記開閉体が開状態であることが検知された場合に、前記調整手段を前記第２状態にした状態で、前記送風装置により前記吹出口から空気を吹き出させる吹出制御手段と、を備えることを特徴とする請求項１に記載の建物の送風設備。
【請求項３】
前記開口部周辺に異物が存在することを検知する異物検知手段と、
前記異物検知手段により異物の存在が検知された場合に、前記調整手段を前記第２状態にした状態で、前記送風装置により前記吹出口から空気を吹き出させる吹出制御手段と、を備えることを特徴とする請求項１又は２に記載の建物の送風設備。
【請求項４】
前記調整手段が前記第２状態とされている場合には前記調整手段が前記第１状態とされている場合よりも、前記吹出口からの空気の吹出量を大きくするよう前記送風装置を制御する風量制御手段を備えることを特徴とする請求項１乃至３のいずれか一項に記載の建物の送風設備。
【請求項５】
前記送風装置による前記屋内空間の空調又は換気が実施されていない場合に、前記調整手段を前記第２状態に切り替える切替手段を備えることを特徴とする請求項１乃至４のいずれか一項に記載の建物の送風設備。
【請求項６】
前記吹出口は、前記屋内空間の床部又は天井部に設けられ、平面視において前記開口部に隣接する位置に配置されていることを特徴とする請求項１乃至５のいずれか一項に記載の建物の送風設備。
【請求項７】
前記建物の床部又は天井部に空気の吹出口が複数設けられており、
前記送風装置として、空調用の空気を前記各吹出口に供給しそれら各吹出口より前記空調用の空気を吹き出させる空調装置を備え、それら吹き出された空調用の空気により前記建物内の空調が行われるようになっており、
前記各吹出口のうちいずれかの吹出口が前記屋内空間に設けられており、
その屋内空間の吹出口に前記調整手段が設けられていることを特徴とする請求項１乃至６のいずれか一項に記載の建物の送風設備。
【請求項８】
前記各吹出口のうち、前記調整手段が設けられている吹出口は第１吹出口であり、それ以外の吹出口は第２吹出口であり、
前記第２吹出口を開閉する開閉手段と、
前記調整手段が前記第２状態とされている場合に、前記第２吹出口を前記開閉手段により閉鎖するよう制御する閉鎖制御手段とを備えることを特徴とする請求項７に記載の建物の送風設備。
【発明の詳細な説明】
【技術分野】
【０００１】
本発明は、建物の送風設備に関する。
【背景技術】
【０００２】
住宅等の建物には、屋内の空調を行うための空調設備が設けられている場合がある。空調設備により屋内の空調が行われる場合には、窓部が閉められた状態で空調が行われる。このため、屋内の空調が行われている際には、窓部より蚊やハエ等の虫（羽虫）が屋内に入り込む可能性は少ない。
【０００３】
これに対して、空調設備による空調を停止して屋内の換気を行っている場合には、窓部を通じて羽虫が屋内に入り込むおそれがある。その場合、屋内にいる人は不快感を感じてしまうことがあり、また衛生的にもよくない場合がある。
【０００４】
そこで、こうした点に鑑み、特許文献１には、建物の出入口より昆虫が建物内に侵入するのを防止する昆虫侵入防止装置が提案されている。この特許文献１の技術では、建物の出入口部分にブース（小空間）が設けられており、そのブースの天井にはブース内に空気（エア）を吹き出す吹出部が設けられている一方、床にはブース内の空気を吸い込む吸気部が設けられている。かかる構成によれば、ブース内に吹出部より吹き出された空気が吸気部により吸い込まれることで、ブース内に吹出部から吸気部へ向けた空気流が発生する。このため、ブース内に昆虫が入り込んだ場合、その昆虫は空気流に巻き込まれ、最終的に吸気部に吸い込まれ捕獲されるようになっている。
【先行技術文献】
【特許文献】
【０００５】
【特許文献１】特開平８−１７３００８号公報
【発明の概要】
【発明が解決しようとする課題】
【０００６】
しかしながら、上記特許文献１の技術では、建物にブースを設けなければならないし、またブースの天井及び床には吹出部や給気部等を設ける必要があるため、構成が煩雑となって、コストの増大等の不都合を招いてしまうおそれがある。
【０００７】
本発明は、上記事情に鑑みてなされたものであり、構成の簡素化を図りながら、虫等の異物が屋内に侵入するのを抑制することができる建物の送風設備を提供することを主たる目的とするものである。
【課題を解決するための手段】
【０００８】
上記課題を解決すべく、第１の発明の建物の送風設備は、屋内空間を囲む壁部に開口部が形成された建物に適用され、前記屋内空間に設けられた空気の吹出口と、その吹出口に空調用又は換気用の空気を供給して、その空気を前記吹出口より前記屋内空間に吹き出させる送風装置と、を備え、前記吹出口より吹き出される空気によって前記屋内空間の空調又は換気を行う建物の送風設備において、前記吹出口より吹き出される空気の吹出向きを調整する調整手段を備え、前記調整手段は、前記吹出口より空気が前記開口部とは異なる側に向けて吹き出されるようにする第１状態と、前記開口部に向けて吹き出されるようにする第２状態とに移行可能となっていることを特徴とする。
【０００９】
本発明によれば、送風装置により吹出口から屋内空間に空調用又は換気用の空気が吹き出され、その吹き出された空気によって屋内空間の空調又は換気が行われる。そして、かかる構成にあって、吹出口から吹き出される空気の向き（吹出向き）が調整手段により調整可能とされている。具体的には、調整手段が第１状態と第２状態とに移行可能とされ、第１状態では、吹出口より空気が開口部とは異なる側に向けて吹き出される一方、第２状態では、吹出口より空気が開口部に向けて吹き出されるようになっている。この場合、第１状態においては、開口部とは異なる側に吹き出される空気により屋内空間の空調又は換気を行うことが可能となる。また、第２状態においては、開口部に向けて吹き出される空気により虫等の異物が開口部を通じて屋内空間に侵入するのを抑制することが可能となる。つまり、この場合、送風設備を利用して屋内への異物の侵入を抑制することが可能となるため、異物の侵入を抑制する上で専用の設備を導入する必要がなく、そのため、構成の簡素化を図りながら異物の侵入を抑制することが可能となる。
【００１０】
第２の発明の建物の送風設備は、第１の発明において、前記開口部を開閉する開閉体の開閉状態を検知する開閉検知手段と、前記開閉検知手段により前記開閉体が開状態であることが検知された場合に、前記調整手段を前記第２状態にした状態で、前記送風装置により前記吹出口から空気を吹き出させる吹出制御手段と、を備えることを特徴とする。
【００１１】
本発明によれば、開閉体が開状態とされ開口部が開放されると、調整手段が第２状態とされた状態で、送風装置により吹出口から空気が吹き出される。この場合、開口部が開放されると、吹出口より開口部に向けて空気が吹き出されるため、開口部からの異物の侵入を好適に抑制することができる。
【００１２】
第３の発明の建物の送風設備は、第１又は第２の発明において、前記開口部周辺に異物が存在することを検知する異物検知手段と、前記異物検知手段により異物の存在が検知された場合に、前記調整手段を前記第２状態にした状態で、前記送風装置により前記吹出口から空気を吹き出させる吹出制御手段と、を備えることを特徴とする。
【００１３】
本発明によれば、開口部周辺に異物の存在が検知されると、調整手段が第２状態とされた状態で、送風装置により吹出口から空気が吹き出される。これにより、開口部周辺に虫等の異物が現れると、吹出口より開口部に向けて空気が吹き出されるため、開口部からの異物の侵入をより好適に抑制することができる。
【００１４】
第４の発明の建物の送風設備は、第１乃至第３のいずれかの発明において、前記調整手段が前記第２状態とされている場合には前記調整手段が前記第１状態とされている場合よりも、前記吹出口からの空気の吹出量を大きくするよう前記送風装置を制御する風量制御手段を備えることを特徴とする。
【００１５】
本発明によれば、調整手段が第２状態とされている場合には第１状態とされている場合よりも、吹出口からの空気の吹出量が大きくされる。これにより、吹出口から開口部に向けて空気が吹き出される際には、空気の吹出量が大きくされるため、開口部からの異物の侵入を抑制する効果を高めることができる。
【００１６】
第５の発明の建物の送風設備は、第１乃至第４のいずれかの発明において、前記送風装置による前記屋内空間の空調又は換気が実施されていない場合に、前記調整手段を前記第２状態に切り替える切替手段を備えることを特徴とする。
【００１７】
送風装置による屋内空間の空調又は換気が行われていない場合には、開口部が開放されその開口部を通じた屋内空間の換気（自然換気）が行われることが想定される。そこで本発明では、この点に着目し、送風装置による屋内空間の空調又は換気が行われていない場合には、調整手段を第２状態に切り替えるようにしている。これにより、開口部を通じた自然換気時に、開口部付近に異物が現れた場合には、速やかに開口部に向けて空気を吹き出すことができるため、異物の侵入を確実に抑制することが可能となる。
【００１８】
第６の発明の建物の送風設備は、第１乃至第５のいずれかの発明において、前記吹出口は、前記屋内空間の床部又は天井部に設けられ、平面視において前記開口部に隣接する位置に配置されていることを特徴とする。
【００１９】
本発明によれば、吹出口が屋内空間の床部又は天井部に設けられ、平面視にて開口部に隣接する位置に配置されている。この場合、開口部の近くから空気を開口部に向けて吹き出すことができるため、開口部に向けて比較的強い風を送ることができる。そのため、開口部からの異物侵入を抑制する上で好適な構成といえる。
【００２０】
また、この場合、床部又は天井部から開口部に向けて斜め上向き又は斜め下向きに空気を吹き出すことができるため、開口部の上下方向の広範囲に亘って風を送ることができる。このため、開口部の上下方向の広範囲において異物の侵入を抑制することが可能となる。特に、開口部が人の出入りが可能な出入口（掃き出し窓を含む）である場合には、開口部が上下方向に長くなっているため、そのような開口部に本発明を適用するとその効果が大きい。
【００２１】
第７の発明の建物の送風設備は、第１乃至第６のいずれかの発明において、前記建物の床部又は天井部に空気の吹出口が複数設けられており、前記送風装置として、空調用の空気を前記各吹出口に供給しそれら各吹出口より前記空調用の空気を吹き出させる空調装置を備え、それら吹き出された空調用の空気により前記建物内の空調が行われるようになっており、前記各吹出口のうちいずれかの吹出口が前記屋内空間に設けられており、その屋内空間の吹出口に前記調整手段が設けられていることを特徴とする。
【００２２】
住宅等の建物では、床部又は天井部に設けられた複数の吹出口に共通の空調装置より空調用の空気を供給し、それによってそれら各吹出口から空調用の空気を吹き出させ建物内の空調（冷房又は暖房）を行う全館式の空調設備が設けられている場合がある。そこで本発明では、こうした全館式の空調設備において各吹出口のうちいずれかに調整手段を設け、それにより開口部へ向けた空気の吹き出しを可能としている。この場合、全館式の空調設備を利用して、開口部からの異物侵入を抑制することができる。また、吹出口が床部又は天井部に設けられているため、上記第６の発明と同様、床部又は天井部から空気を開口部に向けて斜め上向き又は斜め下向きに吹き出すことができる。このため、開口部の上下方向の広範囲において異物の侵入を抑制することが可能となる。
【００２３】
第８の発明の建物の送風設備は、第７の発明において、前記各吹出口のうち、前記調整手段が設けられている吹出口は第１吹出口であり、それ以外の吹出口は第２吹出口であり、前記第２吹出口を開閉する開閉手段と、前記調整手段が前記第２状態とされている場合に、前記第２吹出口を前記開閉手段により閉鎖するよう制御する閉鎖制御手段とを備えることを特徴とする。
【００２４】
本発明によれば、第１吹出口の調整手段が第２状態とされている場合には、それ以外の吹出口（第２吹出口）が開閉手段により閉鎖される。この場合、第１吹出口から開口部に向けて空調用の空気が吹き出される際には、第１吹出口からのみ空気が吹き出されることになる。したがって、開口部に向けて空気を吹き出す際に、その空気の吹出量を大きくすることが容易となる。このため、空気の吹出量を大きくするために、風量の極めて大きい空調装置を用いる必要もなく、比較的低コストで空気の吹出量を大きくすることが可能となる。
【図面の簡単な説明】
【００２５】
【図１】空調設備が設けられた建物の概略を示す概略図。
【図２】居室の窓部付近に設けられた吹出口周辺の構成を示す縦断面図であり、吹出口から真上に空調空気が吹き出される場合を示している。
【図３】居室の窓部付近に設けられた吹出口周辺の構成を示す縦断面図であり、吹出口から窓部に向けて空調空気が吹き出される場合を示している。
【図４】居室の出入口付近に設けられた吹出口周辺の構成を示す縦断面図であり、（ａ）が吹出口の開放状態を示し、（ｂ）が吹出口の閉鎖状態を示している。
【図５】空調設備の電気的構成を示す図。
【図６】制御処理の流れを示すフローチャート。
【発明を実施するための形態】
【００２６】
以下に、本発明を具体化した一実施の形態について図面を参照しつつ説明する。なお、図１は、空調設備が設けられた建物の概略を示す概略図である。
【００２７】
図１に示すように、基礎１１の上方には建物１０（例えば住宅）が設けられている。建物１０は、例えば二階建てとされ、その一階部分には、屋内空間として、居室１２や廊下１３等が設けられているとともに、空調装置３１が設置された機械室１４が設けられている。
【００２８】
居室１２は、外壁部１６を隔てて屋外と隣接している。外壁部１６には、居室１２と屋外とを連通する窓部１７が形成されている。窓部１７は掃き出し窓からなり、この窓部１７を通じて居室１２から屋外への出入りが可能となっている。また、窓部１７には、ガラス戸１８が設けられている。このガラス戸１８により窓部１７が開閉される。なお、居室１２が特許請求の範囲に記載の「屋内空間」に相当し、窓部１７が「開口部」に相当し、ガラス戸１８が「開閉体」に相当する。
【００２９】
廊下１３は、仕切壁２１を隔てて居室１２と隣接している。仕切壁２１には、居室１２と廊下１３とを連通する出入口２２が形成され、この出入口２２には出入口ドア２３が設けられている。また、機械室１４は、仕切壁２５を隔てて廊下１３と隣接している。仕切壁２５には、廊下１３と機械室１４とを連通する出入口２６が形成され、この出入口２６には出入口ドア２７が設けられている。なお、仕切壁２１と外壁部１６とを含んで「居室１２を囲む壁部」が構成されている。
【００３０】
建物１０の一階部分には床部２８が設けられている。その床部２８の下方には床下空間２９が形成されている。床下空間２９は、基礎１１により囲まれた内側空間となっており、床部２８により一階部分の屋内空間と上下に仕切られている。なお、基礎１１は、建物１０の外周部に沿って設けられた布基礎からなる。
【００３１】
建物１０には、屋内空間の空調を行う空調設備３０が設けられている。空調設備３０は、共通の空調装置３１を用いて複数の屋内空間の空調を行う全館空調システムとして構築されている。以下、この空調設備３０の構成について説明する。
【００３２】
空調設備３０は、空調空気を生成する空調装置３１と、その空調装置３１に接続された空調ダクト３２と、その空調ダクト３２に接続された吹出チャンバ３３とを備える。空調装置３１は、機械室１４の床上に設置されている。空調装置３１は、機械室１４の空気を取り込みその空気を温度調整することで空調空気（冷気又は暖気）を生成する。なお、空調設備３０が送風設備に相当し、空調装置３１が送風装置に相当する。
【００３３】
空調ダクト３２は、床下空間２９に設けられている。空調ダクト３２には複数の吹出チャンバ３３が接続されている。これらの吹出チャンバ３３にはそれぞれ吹出口３４が設けられており、これらの吹出口３４はいずれも一階部分の床部２８に設けられている。具体的には、各吹出口３４のうち、吹出口３４ａ，３４ｂが居室１２の床部２８に設けられ、吹出口３４ｃが廊下１３の床部２８に設けられている。また、居室１２の各吹出口３４ａ，３４ｂのうち、吹出口３４ａが窓部１７付近に配置され、吹出口３４ｂが出入口２２付近に配置されている。
【００３４】
空調装置３１により生成された空調空気は、同装置３１により空調ダクト３２及び各吹出チャンバ３３を介して各吹出口３４ａ〜３４ｃに供給される。そして、その供給された空調空気が吹出口３４ａ，３４ｂより居室１２に吹き出され、吹出口３４ｃより廊下１３に吹き出される。これによって、それら吹き出された空調空気により居室１２及び廊下１３の空調（冷房又は暖房）が行われるようになっている。
【００３５】
ところで、本空調設備３０では、居室１２の窓部１７付近に設けられた吹出口３４ａに、空調空気の吹出向きを調整する調整機能が設けられており、その調整機能により吹出口３４ａより窓部１７に向けて空調空気を吹き出すことが可能となっている。これにより、ガラス戸１８を開いて窓部１７を通じた居室１２の換気が行われている場合には、窓部１７に向けて空調空気を吹き出すことで、窓部１７より蚊やハエ等の虫（羽虫）が居室１２に入り込むのを抑制することが可能となっている。本空調設備３０では、この点に特徴を有しており、以下においては、その特徴的な構成について図２及び図３に基づいて説明する。なお、図２及び図３はいずれも、居室１２の窓部１７付近に設けられた吹出口３４ａ周辺の構成を示す縦断面図であり、図２が吹出口３４ａから真上に空調空気が吹き出される場合を示しており、図３が吹出口３４ａから窓部１７に向けて空調空気が吹き出される場合を示している。
【００３６】
図２及び図３に示すように、居室１２において、床部２８は、床梁４１上に設けられた根太４２により下方から支持されている。床部２８は、根太４２の上に設けられた床下地材４３と、その床下地材４３の上に敷設された床仕上げ材４４とを備える。床下地材４３は、例えばパーティクルボードよりなり、床仕上げ材４４は、例えばフローリング材よりなる。なお、床梁４１の一部は基礎１１上に配設されている。
【００３７】
居室１２の床部２８には、上述したように、吹出口３４ａが設けられている。吹出口３４ａは、吹出グリルよりなり、居室１２の床面にて開口されている。吹出口３４ａは、平面視において、窓部１７と隣接する位置に配置され、詳しくは窓部１７が開口する開口方向（換言すると外壁部１６の厚み方向）において当該窓部１７と隣接する位置に配置されている。この場合、吹出口３４ａは窓部１７の近傍に配置されている。
【００３８】
吹出口３４ａはその下側（床下側）で吹出チャンバ３３と接続されている。吹出チャンバ３３の内部には、複数の可動スラット４６が横並びで配設されている。これらの可動スラット４６はいずれも窓部１７の開口幅方向に延びる横長板状をなしており、その長手方向に延びる回動軸（図示略）を介して吹出チャンバ３３に回動可能に支持されている。この場合、各可動スラット４６が回動することで、それら各可動スラット４６のスラット角度が調整可能となっている。そして、そのスラット角度の調整により吹出口３４ａから吹き出される空調空気の向きを調整することが可能となっている。なお、各可動スラット４６が調整手段に相当する。
【００３９】
具体的には、各可動スラット４６は、スラット角度が調整されることで、各可動スラット４６が鉛直向き（縦向き）となる第１状態（図２に示す状態）と、各可動スラット４６が窓部１７側に向かって上方傾斜する向きとなる第２状態（図３に示す状態）とに移行可能となっている。各可動スラット４６が第１状態にある場合には、吹出口３４ａから空調空気が真上（窓部１７とは異なる側）に向けて吹き出される一方、各可動スラット４６が第２状態にある場合には、吹出口３４ａから空調空気が窓部１７に向けて斜め上方に吹き出される。
【００４０】
各可動スラット４６は、スラット駆動部４７により回動駆動されるようになっている。スラット駆動部４７は電動モータ等を有して構成され、吹出チャンバ３３の内部に配設されている。このスラット駆動部４７の駆動によって各可動スラット４６が第１状態と第２状態とに切り替えられるようになっている。
【００４１】
本空調設備３０では、居室１２の空調を行う空調実施時においては各可動スラット４６が第１状態とされる。一方、居室１２のガラス戸１８が開状態とされ、窓部１７を通じた居室１２の換気が行われている場合（つまり、居室１２の空調が実施されていない場合）には各可動スラット４６が第２状態とされる。この第２状態では、吹出口３４ａより窓部１７に向けて空調空気が吹き出されるため、窓部１７を通じて蚊やハエ等の虫が居室１２に入り込むのを抑制することが可能となる。
【００４２】
続いて、上記吹出口３４ａ以外の各吹出口３４ｂ，３４ｃの周辺構成について図４を用いながら説明する。図４は、居室１２の出入口２２付近に設けられた吹出口３４ｂ周辺の構成を示す縦断面図であり、（ａ）が吹出口３４ｂの開放状態を示し、（ｂ）が吹出口３４ｂの閉鎖状態を示す。なお、吹出口３４ｃ周辺の構成は吹出口３４ｂ周辺の構成と同様であるため、その図示を省略することとする。また、この場合、吹出口３４ａが第１吹出口に相当し、各吹出口３４ｂ，３４ｃが第２吹出口に相当する。
【００４３】
図４（ａ）及び（ｂ）に示すように、各吹出口３４ｂ，３４ｃにはそれぞれ、複数の可動スラット４８が横並びで設けられている。これらの可動スラット４８はスラット駆動部４９により回動駆動されるようになっている。この場合、各可動スラット４８は、スラット駆動部４９の駆動により、鉛直向き（縦向き）とされ吹出口３４ｂ，３４ｃを開放する開状態（図４（ａ）に示す状態）と、略水平向きとされ吹出口３４ｂ，３４ｃを閉鎖する閉状態（図４（ｂ）に示す状態）とに切替可能となっている。各可動スラット４８が開状態とされている場合には、吹出口３４ｂ，３４ｃから真上に向けて空調空気が吹き出される。一方、各可動スラット４８が閉状態とされている場合には、吹出口３４ｂ，３４ｃからの空調空気の吹き出しが禁止される。なお、各可動スラット４８が開閉手段に相当する。
【００４４】
図２の説明に戻って、ガラス戸１８には、開閉検知手段としての開閉検知センサ５１が設けられている。開閉検知センサ５１は、ガラス戸１８の開閉状態を検知するセンサである。また、外壁部１６には、その窓部１７付近に、異物検知手段としての虫検知センサ５２が設けられている。虫検知センサ５２は、窓部１７付近に虫が存在することを検知するセンサであり、例えば赤外線センサからなる。この場合、窓部１７から虫が居室１２に侵入しようとしていることを虫検知センサ５２により検知することが可能となっている。
【００４５】
続いて、空調設備３０の電気的構成について図５に基づいて説明する。図５は、空調設備３０の電気的構成を示す図である。
【００４６】
図５に示すように、空調設備３０は、吹出制御手段としてのコントローラ５０を備える。コントローラ５０は、ＣＰＵ等を有する周知のマイクロコンピュータを主体に構成され、例えば空調装置３１に内蔵されている。
【００４７】
コントローラ５０には、空調装置３１による空調運転をＯＮ／ＯＦＦ操作するための操作部５５が接続されている。この操作部５５によりＯＮ／ＯＦＦ操作がされると、その操作に応じた信号（つまり空調ＯＮ信号又は空調ＯＦＦ信号）が操作部５５からコントローラ５０に入力される。
【００４８】
コントローラ５０には、空調装置３１が接続されている。コントローラ５０は、操作部５５より空調ＯＮ信号が入力されると、空調装置３１を空調モード（その詳細は後述）で運転させ、操作部５５より空調ＯＦＦ信号が入力されると、空調装置３１の運転を停止させる。
【００４９】
コントローラ５０には、各スラット駆動部４７，４９が接続されている。コントローラ５０は、操作部５５より入力される空調ＯＮ信号又は空調ＯＦＦ信号に基づいて、各スラット駆動部４７，４９を駆動制御する。
【００５０】
コントローラ５０には、開閉検知センサ５１と虫検知センサ５２とが接続されている。コントローラ５０には、これら各センサ５１，５２から逐次検知結果が入力される。コントローラ５０は、開閉検知センサ５１及び虫検知センサ５２からの検知結果に基づいて、空調装置３１を防虫モード（その詳細は後述）で運転させる。
【００５１】
次に、コントローラ５０により実行される制御処理について図６に示すフローチャートに基づき説明する。なお、本処理は、所定の周期で繰り返し実行される。
【００５２】
図６に示すように、まずステップＳ１１では、操作部５５からの空調ＯＮ／ＯＦＦ信号に基づいて、空調装置３１による空調（空調運転）がＯＮ又ＯＦＦのいずれに設定されているかを判定する。空調がＯＮに設定されている場合には、ステップＳ１２に進み、吹出口３４ｂ，３４ｃの開放処理を行う。この処理では、各スラット駆動部４９に開信号を出力し、それらスラット駆動部４９により各吹出口３４ｂ，３４ｃの可動スラット４８を開状態とする。これにより、各吹出口３４ｂ，３４ｃが開放状態とされる。
【００５３】
続くステップＳ１３では、スラット駆動部４７に第１信号を出力し、同駆動部４７により各可動スラット４６を第１状態（図２の状態）とする。続くステップＳ１４では、空調装置３１を空調モードで運転させる。これにより、各吹出口３４ａ〜３４ｃより空調空気が真上に向けて吹き出され、居室１２及び廊下１３の空調が行われる。
【００５４】
ここで、空調装置３１の運転モードとしては、空調モードと、後述する防虫モード（ステップＳ２１の説明を参照）とがある。空調装置３１を空調モードで運転させる場合には、各吹出口３４ａ〜３４ｃから空調に適した所定の吹出量（風量）で空調空気が吹き出される。また、空調装置３１を空調モードで運転させる場合には、操作部５５による操作に基づいて、吹出口３４ａ〜３４ｃからの吹出量を大小調整することが可能となっている。例えば、吹出量を強・中・弱の３段階に調整することが可能となっている。ステップＳ１３の処理の後、本処理を終了する。
【００５５】
先のステップＳ１１において、空調がＯＦＦに設定されている場合にはステップＳ１５に進み、空調装置３１が防虫モードで運転中であるか否かを判定する。空調装置３１が防虫モードで運転中である場合にはステップＳ１９に進む。一方、空調装置３１が防虫モードで運転していない場合、例えば空調装置３１が空調モードで運転している場合にはステップＳ１６に進む。
【００５６】
ステップＳ１６では、空調装置３１の運転を停止させる。これにより、各吹出口３４ａ〜３４ｃからの空調空気の吹き出しが停止される。続くステップＳ１７では、スラット駆動部４７に第２信号を出力し、同駆動部４７により各可動スラット４６を第２状態（図３の状態）とする。続くステップＳ１８では、各スラット駆動部４９に閉信号を出力し、それらスラット駆動部４９により各吹出口３４ｂ，３４ｃの可動スラット４８を閉状態とする。これにより、各吹出口３４ｂ，３４ｃが閉鎖状態とされる。
【００５７】
続くステップＳ１９では、開閉検知センサ５１からの検知結果に基づいて、ガラス戸１８が開状態とされているか否かを判定する。ガラス戸１８が開状態とされている場合、つまり窓部１７が開放されて居室１２の換気が行われている場合には、ステップＳ２０に進む。ステップＳ２０では、虫検知センサ５２からの検知結果に基づいて、窓部１７周辺に虫が存在するか否かを判定する。窓部１７周辺に虫が存在する場合、すなわち窓部１７より居室１２内へ虫が侵入しようとしている場合にはステップＳ２１に進む。
【００５８】
ステップＳ２１では、空調装置３１を防虫モードで運転させる。これにより、吹出口３４ａから空調空気が窓部１７に向けて吹き出される。このため、窓部１７より虫が居室１２に侵入するのを抑制することができる。また、この場合、各吹出口３４ｂ，３４ｃについては閉鎖状態とされているため、これらの吹出口３４ｂ，３４ｃからは空調空気が吹き出されない。
【００５９】
ここで、空調装置３１を防虫モードで運転させる場合には、吹出口３４ａから防虫に適した所定の吹出量（風量）で空調空気が吹き出される。この場合、所定の吹出量は、空調装置３１を空調モードで運転させる場合に吹出口３４ａから吹き出される空調空気の吹出量よりも大きい量に設定されている。詳しくは、空調装置３１を空調モードで運転させる場合には、上述したように、吹出量を大小調整することが可能となっているが、その空調モード時の吹出量の最大値（最大吹出量）よりも、防虫モード時の吹出量の方が大きくなるように設定されている。より詳しくは、防虫モード時の吹出口３４ａからの吹出量は、吹出口３４ａから吹き出される空調空気が窓部１７において風速２ｍ／ｓ以上の風となる大きさに設定されている。ステップＳ２１の処理の後、本処理を終了する。
【００６０】
ステップＳ１９にてガラス戸１８が閉状態とされている場合、又は、ステップＳ２０にて窓部１７周辺に虫が存在していない場合には、ステップＳ２２に進み、空調装置３１の運転を停止させる。これにより、吹出口３４ａからの空調空気の吹き出しが停止される。その後、本処理を終了する。
【００６１】
以上、詳述した本実施形態の構成によれば、以下の優れた効果が得られる。
【００６２】
吹出口３４ａから吹き出される空調空気の向きを調整する可動スラット４６を設けた。そして、その可動スラット４６を第１状態と第２状態とに移行可能とし、第１状態では、吹出口３４ａから真上に向けて空調空気が吹き出されるようにし、第２状態では、吹出口３４ａから空調空気が窓部１７に向けて吹き出されるようにした。この場合、第１状態においては、真上に吹き出される空調空気により居室１２の空調を行うことが可能となる。また、第２状態においては、窓部１７に向けて吹き出される空調空気により窓部１７を通じて虫が居室１２に入り込むのを抑制することが可能となる。つまり、この場合、空調設備３０を利用して居室１２への虫の侵入を抑制することが可能となるため、虫の侵入を抑制する上で専用の設備を導入する必要がなく、そのため、構成の簡素化を図りながら虫の侵入を抑制することが可能となる。
【００６３】
開閉検知センサ５１によりガラス戸１８が開状態であることが検知された場合に、各可動スラット４６を第２状態とした状態で、空調装置３１により吹出口３４ａから空調空気を吹き出させた。この場合、ガラス戸１８が開かれて窓部１７が開放されると、その窓部１７へ向けて空調空気が吹き出されるため、窓部１７からの虫の侵入を好適に抑制することができる。
【００６４】
虫検知センサ５２により窓部１７周辺に虫が存在することが検知された場合に、各可動スラット４６を第２状態とした状態で、空調装置３１により吹出口３４ａから空調空気を吹き出させた。この場合、窓部１７周辺に虫が現れると、窓部１７に向けて空調空気が吹き出されるため、窓部１７からの虫の侵入をより好適に抑制することができる。
【００６５】
可動スラット４６が第１状態とされている場合には空調装置３１を空調モードで運転させ、可動スラット４６が第２状態とされている場合には空調装置３１を防虫モードで運転させるようにした。つまり、可動スラット４６が第２状態とされている場合には、第１状態とされている場合よりも、吹出口３４ａからの空調空気の吹出量が大きくなるように空調装置３１を運転させた。この場合、可動スラット４６が第２状態とされて吹出口３４ａから窓部１７に向けて空調空気が吹き出される場合に、空調空気の吹出量が大きくされるため、窓部１７からの虫の侵入を抑制する効果を高めることが可能となる。
【００６６】
空調装置３１による空調運転が停止されている場合（つまり、居室１２の空調が実施されていない場合）には、可動スラット４６を第２状態に切り替えるようにした。空調運転の停止時には、窓部１７が開放され窓部１７を通じた居室１２の換気（自然換気）が行われることが想定される。このため、空調運転の停止時に可動スラット４６を第２状態にしておけば、居室１２の換気時に窓部１７周辺に虫が現れた場合に、速やかに窓部１７に向けて空調空気を吹き出すことができるため、虫の侵入を確実に抑制することが可能となる。
【００６７】
吹出口３４ａの可動スラット４６を第２状態とした場合に、それ以外の吹出口３４ｂ，３４ｃの可動スラット４８を閉状態とするようにした。この場合、可動スラット４６が第２状態にされた場合には、各吹出口３４ｂ，３４ｃが閉鎖されるため、吹出口３４ａから空調空気が窓部１７に向けて吹き出される際には当該吹出口３４ａからのみ空調空気が吹き出されることになる。これにより、窓部１７に向けて空調空気が吹き出される際に、空調空気の吹出量を大きくすることが容易となる。このため、空調空気の吹出量を大きくするために、風量の極めて大きい空調装置３１を用いる必要もなく、比較的低コストで空調空気の吹出量を大きくすることが可能となる。
【００６８】
また、吹出口３４ａから空調空気が窓部１７に向けて吹き出される際に、それ以外の吹出口３４ｂ，３４ｃから空調空気が吹き出されるのを防止することで、空調実施時でないにもかかわらずそれらの吹出口３４ｂ，３４ｃから空調空気が吹き出して居住者に不快感を与えてしまう等の不都合の発生を防止することが可能となる。
【００６９】
床部２８に設けた吹出口３４ａから窓部１７に向けて斜め上向きに空調空気を吹き出すようにしたため、窓部１７の上下方向の広範囲において虫の侵入を抑制することが可能となる。特に、窓部１７は人の出入りが可能な掃き出し窓（出入口）からなり、上下に長くなっているため、かかる窓部１７への空調空気の吹き出しを床部２８から行うことの効果は大きい。
【００７０】
また、吹出口３４ａを平面視にて窓部１７に隣接する位置に配置したため、窓部１７の近くから空調空気を窓部１７に向けて吹き出すことができる。この場合、窓部１７に向けて比較的強い風を送ることが可能となるため、窓部１７からの虫の侵入を抑制する上で好適な構成といえる。
【００７１】
なお、窓部１７に向けて空調空気を吹き出し可能とした上記実施形態の構成では、窓部１７からの虫の侵入を抑制するだけでなく、埃やゴミなど、虫以外の異物の侵入についても抑制することが可能となる。
【００７２】
本発明は上記実施形態に限らず、例えば次のように実施されてもよい。
【００７３】
・上記実施形態では、開閉検知センサ５１及び虫検知センサ５２からの検知結果に基づいて、窓部１７へ向けた空調空気の吹き出しを実施するようにしたが、これらのセンサ５１，５２のうちいずれか一方又は両方のセンサを不具備としてもよい。例えば、両方のセンサ５１，５２を不具備とした場合には、操作部５５による防虫開始操作に基づき、コントローラ５０が、可動スラット４６を第２状態に移行させた状態で、空調装置３１により吹出口３４ａから空調空気を吹き出させるようにすることが考えられる。この場合にも、ガラス戸１８を開いた際や、窓部１７付近に虫が現れた際等に、操作部５５の操作によって窓部１７に向けて空調空気を吹き出すことで、虫の侵入を抑制することが可能となる。
【００７４】
・上記実施形態では、空調装置３１による空調運転が停止された場合（詳しくは停止された直後）に、可動スラット４６を第２状態に切り替えるようにしたが、これを変更して、例えば空調装置３１による空調運転が停止され、その後開閉検知センサ５１によりガラス戸１８の開状態が検知された場合に可動スラット４６を第２状態に切り替えるようにしてもよい。さらには、開閉検知センサ５１による開状態の検知後、虫検知センサ５２により虫が検知された場合に、可動スラット４６を第２状態に切り替えるようにしてもよい。
【００７５】
・空調装置３１により吹出口３４ａから窓部１７へ空調空気を吹き出す際に、空調装置３１により防虫に適した所定温度の空調空気を生成し、その所定温度の空調空気を吹出口３４ａから吹き出すようにしてもよい。この場合、所定温度の空調空気として、例えば蚊等の虫が嫌うことが考えられる１５℃以下の低温の空調空気を吹き出すことが考えられる。そうすることで、窓部１７からの虫の侵入を抑制する効果を高められる。
【００７６】
また、空調装置３１により吹出口３４ａから窓部１７へ空気を吹き出す際に、空調装置３１により温度調整しないで空気の吹き出しを行うようにしてもよい。
【００７７】
・上記実施形態では、吹出口３４ａを窓部１７付近に配置したが、吹出口３４ａを窓部１７から比較的離れた位置、例えば居室１２の中央部に配置してもよい。その場合にも、吹出口３４ａから空調空気を窓部１７に向けて吹き出すことで窓部１７において屋外へ向けた風を生じさせることができれば、窓部１７からの虫の侵入を抑制することが可能となる。
【００７８】
・上記実施形態では、窓部１７付近の吹出口３４ａに可動スラット４６を設けることで、同吹出口３４ａより窓部１７に向けて空調空気を吹き出し可能としたが、これに代えて又は加えて、例えば出入口２２付近の吹出口３４ｂに可動スラット４６を設け、同吹出口３４ｂより出入口２２（開口部に相当）に向けて空調空気を吹き出し可能にしてもよい。その場合、出入口２２を通じて廊下１３から居室１２に虫が侵入するのを抑制することが可能となる。
【００７９】
また、上記実施形態では、掃き出し窓からなる窓部１７（開口部に相当）を空調空気の吹出先としたが、吹出先となる開口部は必ずしも人の出入りを行う開口部（出入口）とする必要はなく、人の出入りが行われない開口部であってもよい。
【００８０】
・上記実施形態では、床部２８に吹出口３４が設けられている床吹き出し式の空調設備３０に本発明を適用したが、天井部に吹出口が設けられている天井吹き出し式の空調設備に本発明を適用してもよい。この場合、吹出口から空調空気を窓部１７に向けて斜め下方に吹き出すことができるため、床吹き出し式の場合と同様、窓部１７の上下方向の広範囲に亘り風を送ることができる。
【００８１】
また、吹出口を居室１２の壁部に設け、その吹出口から窓部１７に向けて空調空気を吹き出し可能としてもよい。
【００８２】
・上記実施形態では、空調装置３１より複数の吹出口３４に空調空気を供給し屋内の空調を行う全館式の空調設備３０に本発明を適用したが、本発明は必ずしも全館式の空調設備に適用する必要はない。例えば、居室１２の壁部に壁付けのエアコンを取り付け、そのエアコンに本発明を適用してもよい。その場合、エアコン（送風設備に相当）に設けられた吹出口から吹き出される空気の向きを吹出口に設けられたスラットにより調整可能とし、そのスラットが第１状態とされると、吹出口から窓部１７とは異なる側に空調空気が吹き出され、スラットが第２状態とされると、吹出口から窓部１７に空調空気が吹き出されるようにすればよい。
【００８３】
・上記実施形態では、本発明を建物１０内の空調を行う空調設備３０に適用したが、本発明を建物１０内の換気を行う換気設備に適用してもよい。かかる換気設備（送風設備に相当）としては、居室１２の天井部に設けられた吹出口と、屋外の空気を取り込みその取り込んだ空気を吹出口に供給して同吹出口より吹き出させる換気装置（送風装置に相当）とを備えたものが考えられる。この場合、かかる換気設備の吹出口に可動スラット等の調整手段を設け、その調整手段の第１状態では吹出口から真下に向けて換気用の空気を吹き出すようにし、調整手段の第２状態では吹出口から窓部１７に向けて防虫用の空気を吹き出すようにすることが考えられる。
【符号の説明】
【００８４】
１０…建物、１２…屋内空間としての居室、１７…開口部としての窓部、１８…開閉体としてのガラス戸、３０…送風設備としての空調設備、３１…送風装置としての空調装置、３４ａ…第１吹出口としての吹出口、３４ｂ，３４ｃ…第２吹出口としての吹出口、４６…調整手段としての可動スラット、４８…開閉手段としての可動スラット、５０…吹出制御手段、風量制御手段及び閉鎖制御手段としてのコントローラ、５１…開閉検知手段としての開閉検知センサ、５２…異物検知手段としての虫検知センサ。
【図１】
2018105556.tif 000003
【図２】
2018105556.tif 000004
【図３】
2018105556.tif 000005
【図４】
2018105556.tif 000006
【図５】
2018105556.tif 000007
【図６】
2018105556.tif 000008